(57)【要約】 【課題】隣接した異なる２周波数を送信用と受信用に割り当てて通信を行う通信機器において、電力利用効率を低下させることなく送信機側から受信機側への漏洩電力を抑圧可能な漏洩電力低減装置を実現する。【解決手段】送信機１０から送信され、アンテナ３０で反射されて再度送信機側に戻ってきた送信信号をサーキュレータ１１０により取り出し、この取り出した信号の振幅と位相を振幅位相調整器１３０において調整して、デュプレクサ１２０の第３端子から漏洩した送信信号に対して合成器１４０での合成時に等振幅逆位相となる相殺信号を生成する。そして、この相殺信号とデュプレクサ１２０の第３端子から漏洩した送信信号とを合成器１４０において合成することにより漏洩信号を抑圧する。【選択図】図１
2008278417.tif 000002
【特許請求の範囲】
【請求項１】
１つのアンテナを送受信共用とするために、送信機側から直接的に若しくは上記アンテナでの反射を経て受信機側に漏洩した送信信号を抑圧する漏洩電力低減装置であって、
３つの端子を具備し、第１端子から入力された信号を第２端子から出力し、第２端子から入力された信号を第３端子に出力するサーキュレータと、
３つの端子を具備し、第１端子が上記サーキュレータの第２端子と接続され、第１端子と第２端子との間では送信周波数帯域の信号を通過するとともに受信周波数帯域の信号を抑圧し、第２端子と第３端子との間では受信周波数帯域の信号を通過するとともに送信周波数帯域の信号を抑圧し、第１端子と第３端子との間では送信周波数帯域と受信周波数帯域の信号を共に抑圧するデュプレクサと、
上記サーキュレータの第３端子と接続され、サーキュレータから入力された信号の振幅と位相を調整して相殺信号を生成し、出力する振幅位相調整器と、
上記デュプレクサの第３端子からの出力信号と上記振幅位相調整器から出力される相殺信号とが入力され、これらを合成し、上記デュプレクサの第３端子からの出力信号に含まれる上記漏洩した送信信号を上記相殺信号により抑圧した信号を出力する合成器と、
を具備し、
上記サーキュレータの第１端子は、送信信号が入力される端子であり、
上記デュプレクサの第２端子は、上記アンテナに接続される端子であることを特徴とする漏洩電力低減装置。
【請求項２】
請求項１に記載の漏洩電力低減装置において、更に、
上記サーキュレータの第２端子と上記デュプレクサの第１端子との間に一端が接続され、受信周波数帯域成分以外を減衰させる受信帯域通過フィルタと、
上記受信帯域通過フィルタの他端に接続され、信号を吸収する終端器
も具備することを特徴とする漏洩電力低減装置。
【請求項３】
請求項１に記載の漏洩電力低減装置において、更に、
上記サーキュレータの第２端子と上記デュプレクサの第１端子との間に一端が接続され、送信周波数帯域成分を減衰させる送信帯域阻止フィルタと、
上記送信帯域阻止フィルタの他端に接続され、信号を吸収する終端器
も具備することを特徴とする漏洩電力低減装置。
【請求項４】
請求項１に記載の漏洩電力低減装置において、更に、
上記サーキュレータの第２端子と上記デュプレクサの第１端子との間に一端が接続され、受信周波数帯域成分以外を減衰させる受信帯域通過フィルタと、
上記受信帯域通過フィルタの他端に一端が接続され、信号の振幅を調整する減衰器と、
上記減衰器の他端に接続され、信号を反射する反射器
も具備することを特徴とする漏洩電力低減装置。
【請求項５】
請求項１に記載の漏洩電力低減装置において、更に、
上記サーキュレータの第２端子と上記デュプレクサの第１端子との間に一端が接続され、送信周波数帯域成分を減衰させる送信帯域阻止フィルタと、
上記送信帯域阻止フィルタの他端に一端が接続され、信号の振幅を調整する減衰器と、
上記減衰器の他端に接続され、信号を反射する反射器
も具備することを特徴とする漏洩電力低減装置。
【請求項６】
請求項１〜５のいずれかに記載の漏洩電力低減装置において、更に、
上記デュプレクサの第３端子と上記合成器の間に挿入され、上記デュプレクサの第３端子からの出力信号の遅延量を調整する遅延器
も具備することを特徴とする漏洩電力低減装置。
【請求項７】
請求項１〜６のいずれかに記載の漏洩電力低減装置において、更に、
上記デュプレクサの第２端子と上記アンテナの間に接続され、信号の移相量を調整する移相器
も具備することを特徴とする漏洩電力低減装置。  
【請求項８】
請求項１〜７のいずれかに記載の漏洩電力低減装置において、
上記振幅位相調整器は、
入力された信号の振幅を調整して出力する減衰手段と、
上記減衰手段から入力された信号の移相量を調整して出力する移相手段と、
を有することを特徴とする漏洩電力低減装置。
【請求項９】
請求項８の漏洩電力低減装置において、
上記減衰手段は減衰量が可変であり、
上記移相手段は移相量が可変である、
ことを特徴とする漏洩電力低減装置。
【請求項１０】
請求項１〜７のいずれかに記載の漏洩電力低減装置において、
上記振幅位相調整器は、
入力された信号を２分配して出力する分配手段と、
上記分配手段で２分配された一方の信号が入力され、振幅を調整して出力する第１減衰手段と、
上記第１減衰手段から入力された信号の移相量を調整して出力する第１移相手段と、
上記分配手段で２分配されたもう一方の信号が入力され、振幅を調整して出力する第２減衰手段と、
上記第２減衰手段から入力された信号の移相量を調整して出力する第２移相手段と、
上記第１移相手段からの出力信号と上記第２移相手段からの出力信号とが入力され、これらを合成して出力する合成手段と、
を有することを特徴とする漏洩電力低減装置。
【請求項１１】
請求項１０の漏洩電力低減装置において、
上記第１減衰手段及び上記第２減衰手段は共に減衰量が可変であり、
上記第１移相手段及び上記第２移相手段は共に移相量が可変である、
ことを特徴とする漏洩電力低減装置。
【請求項１２】
１つのアンテナを送受信共用とするために、送信機側から直接的に若しくは上記アンテナでの反射を経て受信機側に漏洩した送信信号を抑圧する漏洩電力低減装置であって、
３つの端子を具備し、第１端子から入力された信号を第２端子から出力し、第２端子から入力された信号を第３端子に出力するサーキュレータと、
３つの端子を具備し、第１端子が上記サーキュレータの第２端子と接続され、第１端子と第２端子との間では送信周波数帯域の信号を通過するとともに受信周波数帯域の信号を抑圧し、第２端子と第３端子との間では受信周波数帯域の信号を通過するとともに送信周波数帯域の信号を抑圧し、第１端子と第３端子との間では送信周波数帯域と受信周波数帯域の信号を共に抑圧するデュプレクサと、
上記サーキュレータの第３端子と接続され、入力された信号の振幅と位相を調整して送信周波数帯域用相殺信号を生成し、出力する第１振幅位相調整器と、
上記サーキュレータの第２端子と上記デュプレクサの第１端子との間に一端が接続され、受信周波数帯域成分以外を減衰させる受信帯域通過フィルタと、
上記受信帯域通過フィルタの他端に接続され、入力された信号の振幅と位相を調整して受信周波数帯域用相殺信号を生成し、出力する第２振幅位相調整器と、
上記送信周波数帯域用相殺信号と上記受信周波数帯域用相殺信号とを合成して相殺信号を生成する第１合成器と、
上記デュプレクサの第３端子からの出力信号と上記第１合成器から出力される相殺信号とが入力され、これらを合成し、上記デュプレクサの第３端子からの出力信号に含まれる上記漏洩した送信信号を上記相殺信号により抑圧した信号を出力する第２合成器と、
を具備し、
上記サーキュレータの第１端子は、送信信号が入力される端子であり、
上記デュプレクサの第２端子は、上記アンテナに接続される端子である
ことを特徴とする漏洩電力低減装置。
【請求項１３】
１つのアンテナを送受信共用とするために、送信機側から直接的に若しくは上記アンテナでの反射を経て受信機側に漏洩した送信信号を抑圧する漏洩電力低減装置であって、
３つの端子を具備し、第１端子から入力された信号を第２端子から出力し、第２端子から入力された信号を第３端子に出力するサーキュレータと、
３つの端子を具備し、第１端子が上記サーキュレータの第２端子と接続され、第１端子と第２端子との間では送信周波数帯域の信号を通過するとともに受信周波数帯域の信号を抑圧し、第２端子と第３端子との間では受信周波数帯域の信号を通過するとともに送信周波数帯域の信号を抑圧し、第１端子と第３端子との間では送信周波数帯域と受信周波数帯域の信号を共に抑圧するデュプレクサと、
上記サーキュレータの第３端子と接続され、入力された信号の振幅と位相を調整して送信周波数帯域用相殺信号を生成し、出力する第１振幅位相調整器と、
上記サーキュレータの第２端子と上記デュプレクサの第１端子との間に一端が接続され、送信周波数帯域成分を減衰させる送信帯域阻止フィルタと、
上記送信帯域阻止フィルタの他端に接続され、入力された信号の振幅と位相を調整して受信周波数帯域用相殺信号を生成し、出力する第２振幅位相調整器と、
上記送信周波数帯域用相殺信号と上記受信周波数帯域用相殺信号とを合成して相殺信号を生成する第１合成器と、
上記デュプレクサの第３端子からの出力信号と上記第１合成器から出力される相殺信号とが入力され、これらを合成し、上記デュプレクサの第３端子からの出力信号に含まれる上記漏洩した送信信号を上記相殺信号により抑圧した信号を出力する第２合成器と、
を具備し、
上記サーキュレータの第１端子は、送信信号が入力される端子であり、
上記デュプレクサの第２端子は、上記アンテナに接続される端子である
ことを特徴とする漏洩電力低減装置。
【請求項１４】
請求項１２又は１３のいずれかに記載の漏洩電力低減装置において、更に、
上記デュプレクサの第３端子と上記第２合成器の間に挿入され、上記デュプレクサの第３端子からの出力信号の遅延量を調整する遅延器
も具備することを特徴とする漏洩電力低減装置。
【請求項１５】
請求項１２〜１４のいずれかに記載の漏洩電力低減装置において、更に、
上記デュプレクサの第２端子と上記アンテナの間に接続され、信号の移相量を調整する移相器
も具備することを特徴とする漏洩電力低減装置。
【請求項１６】
１つのアンテナを送受信共用とするために、送信機側から直接的に若しくは上記アンテナでの反射を経て受信機側に漏洩した送信信号を抑圧する漏洩電力低減装置であって、
３つの端子を具備し、第１端子から入力された信号を第２端子から出力し、第２端子から入力された信号を第３端子に出力するサーキュレータと、
３つの端子を具備し、第１端子が上記サーキュレータの第２端子と接続され、第１端子と第２端子との間では送信周波数帯域の信号を通過するとともに受信周波数帯域の信号を抑圧し、第２端子と第３端子との間では受信周波数帯域の信号を通過するとともに送信周波数帯域の信号を抑圧し、第１端子と第３端子との間では送信周波数帯域と受信周波数帯域の信号を共に抑圧する第１デュプレクサと、
３つの端子を具備し、第２端子が上記サーキュレータの第３端子と接続され、第１端子と第２端子との間では送信周波数帯域の信号を通過するとともに受信周波数帯域の信号を抑圧し、第２端子と第３端子との間では受信周波数帯域の信号を通過するとともに送信周波数帯域の信号を抑圧し、第１端子と第３端子との間では送信周波数帯域と受信周波数帯域の信号を共に抑圧する第２デュプレクサと、
上記第２デュプレクサの第１端子と接続され、入力された信号の振幅と位相を調整して送信周波数帯域用相殺信号を生成し出力する第１振幅位相調整器と、
上記第２デュプレクサの第３端子と接続され、入力された信号の振幅と位相を調整して受信周波数帯域用相殺信号を生成し出力する第２振幅位相調整器と、
３つの端子を具備し、第１端子が上記第１振幅位相調整器と接続され、第３端子が上記第２振幅位相調整器と接続され、第１端子と第２端子との間では送信周波数帯域の信号を通過するとともに受信周波数帯域の信号を抑圧し、第２端子と第３端子との間では受信周波数帯域の信号を通過するとともに送信周波数帯域の信号を抑圧し、第１端子と第３端子との間では送信周波数帯域と受信周波数帯域の信号を共に抑圧する特性を有し、上記送信周波数帯域用相殺信号と上記受信周波数帯域用相殺信号とを合成して相殺信号を生成し、第２端子から出力する第３デュプレクサと、
上記第１デュプレクサの第３端子からの出力信号と、上記第３デュプレクサの第２端子から出力される相殺信号とが入力され、これらを合成し、第１デュプレクサの第３端子からの出力信号に含まれる上記漏洩した送信信号を上記相殺信号により抑圧した信号を出力する合成器と、
を具備し、
上記サーキュレータの第１端子は、送信信号が入力される端子であり、
上記第１デュプレクサの第２端子は、上記アンテナに接続される端子である
ことを特徴とする漏洩電力低減装置。
【請求項１７】
請求項１６に記載の漏洩電力低減装置において、更に、
上記第１デュプレクサの第３端子と上記合成器の間に挿入され、上記デュプレクサの第３端子からの出力信号の遅延量を調整する遅延器
も具備することを特徴とする漏洩電力低減装置。
【請求項１８】
請求項１６又は１７のいずれかに記載の漏洩電力低減装置において、更に、
上記第１デュプレクサの第２端子と上記アンテナの間に接続され、信号の移相量を調整する移相器
も具備することを特徴とする漏洩電力低減装置。
【請求項１９】
請求項１２〜１８のいずれかに記載の漏洩電力低減装置において、
上記第１振幅位相調整器及び上記第２振幅位相調整器は共に、
入力された信号の振幅を調整して出力する減衰手段と、
上記減衰手段から入力された信号の移相量を調整して出力する移相手段と、
を有することを特徴とする漏洩電力低減装置。
【請求項２０】
請求項１９の漏洩電力低減装置において、
上記減衰手段は減衰量が可変であり、
上記移相手段は移相量が可変である、
ことを特徴とする漏洩電力低減装置。
【請求項２１】
請求項１２〜１８のいずれかに記載の漏洩電力低減装置において、
上記第１振幅位相調整器及び上記第２振幅位相調整器は共に、
入力された信号を２分配して出力する分配手段と、
上記分配手段で２分配された一方の信号が入力され、振幅を調整して出力する第１減衰手段と、
上記第１減衰手段から入力された信号の移相量を調整して出力する第１移相手段と、
上記分配手段で２分配されたもう一方の信号が入力され、振幅を調整して出力する第２減衰手段と、
上記第２減衰手段から入力された信号の移相量を調整して出力する第２移相手段と、
上記第１移相手段からの出力信号と上記第２移相手段からの出力信号とが入力され、これらを合成して出力する合成手段と、
を有することを特徴とする漏洩電力低減装置。
【請求項２２】
請求項２１の漏洩電力低減装置において、
上記第１減衰手段及び上記第２減衰手段は共に減衰量が可変であり、
上記第１移相手段及び上記第２移相手段は共に移相量が可変であり、
ことを特徴とする漏洩電力低減装置。
【請求項２３】
１つのアンテナを送受信共用とするために、送信機側から直接的に若しくは上記アンテナでの反射を経て受信機側に漏洩した送信信号を抑圧する漏洩電力低減方法であって、
上記アンテナで反射されて送信機側に逆流した送信信号を取り出す信号取り出しステップと、
上記取り出した信号の振幅と位相を調整して相殺信号を生成する相殺信号生成ステップと、
上記漏洩した送信信号と上記相殺信号とを合成することにより漏洩電力を抑圧する抑圧ステップと、
を実行することを特徴とする漏洩電力低減方法。
【請求項２４】
１つのアンテナを送受信共用とするために、送信機側から直接的に若しくは上記アンテナでの反射を経て受信機側に漏洩した送信信号を抑圧する漏洩電力低減方法であって、
送信信号のうち受信周波数帯域成分を上記アンテナへの入力前に受信帯域通過フィルタを用いて分離する受信周波数帯域成分分離ステップと、
上記分離した受信周波数帯域成分の振幅と位相を調整して受信周波数帯域用の相殺信号を生成する受信周波数帯域用相殺信号生成ステップと、
上記送信信号のうちアンテナで反射されて送信機側に逆流した送信周波数帯域成分を取り出す送信周波数帯域成分取り出しステップと、
上記取り出した送信周波数帯域成分の振幅と位相を調整して送信周波数帯域用の相殺信号を生成する送信周波数帯域用相殺信号生成ステップと、
上記受信周波数帯域用相殺信号と上記送信周波数帯域用相殺信号とを合成して相殺信号を生成する相殺信号生成ステップと、
上記漏洩した送信信号と上記相殺信号とを合成して漏洩電力を抑圧する抑圧ステップと、
を実行することを特徴とする漏洩電力低減方法。
【請求項２５】
１つのアンテナを送受信共用とするために、送信機側から直接的に若しくは上記アンテナでの反射を経て受信機側に漏洩した送信信号を抑圧する漏洩電力低減方法であって、
送信信号のうち受信周波数帯域成分を上記アンテナへの入力前に送信帯域阻止フィルタを用いて分離する受信周波数帯域成分分離ステップと、
上記分離した受信周波数帯域成分の振幅と位相を調整して受信周波数帯域用の相殺信号を生成する受信周波数帯域用相殺信号生成ステップと、
上記送信信号のうちアンテナで反射されて送信機側に逆流した送信周波数帯域成分を取り出す送信周波数帯域成分取り出しステップと、
上記取り出した送信周波数帯域成分の振幅と位相を調整して送信周波数帯域用の相殺信号を生成する送信周波数帯域用相殺信号生成ステップと、
上記受信周波数帯域用相殺信号と上記送信周波数帯域用相殺信号とを合成して相殺信号を生成する相殺信号生成ステップと、
上記漏洩した送信信号と上記相殺信号とを合成して漏洩電力を抑圧する抑圧ステップと、
を実行することを特徴とする漏洩電力低減方法。
【請求項２６】
１つのアンテナを送受信共用とするために、送信機側から直接的に若しくは上記アンテナでの反射を経て受信機側に漏洩した送信信号を抑圧する漏洩電力低減方法であって、
反射されて送信機側に逆流した送信信号を取り出す信号取り出しステップと、
上記取り出した信号を送信周波数帯域成分と受信周波数帯域成分とに分離する成分分離ステップと、
上記分離した送信周波数帯域成分の振幅と位相を調整して相殺信号を生成する送信周波数帯域用相殺信号生成ステップと、
上記分離した受信周波数帯域成分の振幅と位相を調整して相殺信号を生成する受信周波数帯域用相殺信号生成ステップと、
上記送信周波数帯域用相殺信号と上記受信周波数帯域用相殺信号とを合成して相殺信号を生成する相殺信号生成ステップと、
上記漏洩した送信信号と上記相殺信号とを合成して漏洩電力を抑圧する抑圧ステップと、
を実行することを特徴とする漏洩電力低減方法。
【発明の詳細な説明】
【技術分野】
【０００１】
本発明は、隣接した異なる２周波数を送信用と受信用に割り当てて通信を行う通信機器において使用する、送信機側から受信機側への漏洩電力を低減する装置およびその方法に関する。
【背景技術】
【０００２】
隣接した異なる２周波数を送信用（送信周波数帯域ｆ１）と受信用（受信周波数帯域ｆ２）に割り当てて通信を行う通信機器においては、図１４に示すようにデュプレクサを用いてアンテナを送受信の２周波数で共用する。
図１４の構成を説明する。送信機１０は、電力増幅器（ＰＡ）を含み送信信号を出力する。受信機２０は、低雑音増幅器（ＬＮＡ）を含み所望の信号を検波する。アンテナ３０は、送信信号が給電されてこれを電波として空間に放射するとともに、空間から所望の受信信号の電波を捕捉する。サーキュレータ１１０はアンテナ３０での反射などにより送信電力の一部が送信機の出力側へ入力されることにより生じるＰＡの故障などを防ぐ目的で挿入されている。サーキュレータは非可逆特性を有する３つの端子を具備する素子であり、第１端子（＃１）からの入力電力は第２端子（＃２）へは理想的には無損失で伝送される一方、第２端子からの入力電力は第１端子には伝送されず、第３端子（＃３）に理想的には無損失で伝送される。デュプレクサ１２０は３つの端子を具備し、図１５のような内部構成となっており、送信周波数帯域の信号を低損失で通過させ受信周波数帯域の信号を十分抑圧する送信帯域通過フィルタ（ＢＰＦ）１２１と、受信周波数帯域の信号を低損失で通過させ送信周波数帯域の信号を十分抑圧する受信帯域通過フィルタ（ＢＰＦ）１２２とから構成される。従って、第１端子（＃１）と第２端子（＃２）との間では送信周波数帯域の信号を通過するとともに受信周波数帯域の信号を抑圧し、第２端子と第３端子（＃３）との間では受信周波数帯域の信号を通過するとともに送信周波数帯域の信号を抑圧し、第１端子と第３端子との間では送信周波数帯域と受信周波数帯域の信号を共に抑圧する。また、第１端子にはサーキュレータ１１０を介して送信機１０、第２端子（＃２）にはアンテナ３０、第３端子（＃３）には受信機２０が接続される。従って、理想的には第１端子から入力された送信機１０からの送信周波数帯域の送信信号は第２端子を経てアンテナ３０に向けて出力され、第２端子から入力されたアンテナ３０からの受信周波数帯域の受信信号は第３端子を経て受信機２０に向けて出力される。終端器７１０は、通常５０オームの抵抗素子を用い、サーキュレータの第３端子へ出力された信号を吸収（熱に変換して消費）する。
【０００３】
このような構成により、送信信号は低損失でアンテナへ給電されて電波として空間に放射されるが、送信信号電力の一部はアンテナの反射特性によりデュプレクサ側へ反射されてデュプレクサに再入力されて、ＢＰＦ１を低損失で通過してしまう。もっとも、この反射信号はサーキュレータにおいて第３端子（＃３）に伝送されて終端器で吸収されるため、この反射信号による送信機ＰＡへの悪影響については回避することができる。
しかし、アンテナで反射された送信信号電力はＢＰＦ２側にも伝送され、ＢＰＦ２により大部分は抑圧されるものの、ごく一部は受信機側へ漏洩する。特に、アンテナへの入力信号電力が大きくそれに伴い反射電力の絶対値も大きい場合には、この受信機側への漏洩電力がＬＮＡを歪ませることがある。
【０００４】
更に、デュプレクサが送受信機と接続される端子間（＃１→＃３）においても送信信号電力の一部が受信機側に漏洩することにより、同様な問題が生じる。
このような送信信号電力の一部が受信機側に漏洩する問題の最も単純な解決法として、デュプレクサを構成するＢＰＦ１、ＢＰＦ２の帯域外抑圧特性を向上させることや、端子間の結合度を下げることが考えられる。しかし、これらの手法は送受信周波数の間隔が狭い場合には非常に困難である。
そこで他の解決法として、特許文献１に図１６に示すような漏洩電力低減装置８００の構成が開示されている。漏洩電力低減装置８００は、分配器８１０、サーキュレータ８２０、レベル調整器８３０、移相器８４０、及び合成器１４０から構成される。分配器８１０は、送信機１０から入力された送信信号電力を２分配して出力する。サーキュレータ８２０は、非可逆特性を有する素子であり、第１端子（＃１）からの入力電力は第２端子（＃２）へは理想的には無損失で伝送される一方、第２端子からの入力電力は第１端子には伝送されず、第３端子（＃３）へ理想的には無損失で伝送される。また、第１端子には分配器８１０、第２端子にはアンテナ３０、第３端子には合成器１４０が接続される。レベル調整器８３０は、分配器８１０から入力された信号の振幅を調整して移相器８４０に向けて出力する。移相器８４０は、レベル調整器８４０から入力された信号の位相を調整して合成器１４０に向けて出力する。合成器１４０は、サーキュレータ８２０の第３端子と移相器８４０の両者と接続され、両者から入力された信号を合成して、合成信号を受信機２０に向けて出力する。
【０００５】
次に、この構成の動作原理を説明する。送信機１０からの送信信号は、分配器８１０、サーキュレータ８２０を経てアンテナ３０から放射されるが、送信信号電力の一部はアンテナ３０で反射し、サーキュレータ８２０の第３端子から受信機側に漏洩する。そこで、この構成では送信機１０からの送信信号電力の一部を予め分配器８１０から取り出し、この取り出した信号の振幅と位相を調整して、合成器１４０での合成時に漏洩信号と等振幅逆位相となる相殺信号を生成し、この相殺信号と漏洩信号とを合成器１４０にて合成することにより漏洩電力を抑圧する。
【０００６】
更に他の解決法として、特許文献２に図１７に示すような漏洩電力低減装置９００の構成が開示されている。漏洩電力低減装置９００は、サーキュレータ１１０、サーキュレータ８２０、増幅器９１０、移相器８４０、及び合成器１４０から構成される。サーキュレータ１１０は先に説明した図１４の構成にて適用されるものと同様であり、サーキュレータ８２０、移相器８４０及び合成器１４０については先に説明した図１６の構成にて適用されるものと同様である。よって、図１７の中で図１４、図１６と同一の名称・機能を有する部分については同一参照番号を付け、説明は省略する。その他の図面についても同様とする。増幅器９１０は、サーキュレータ１１０の第３端子から入力された信号を増幅して移相器８４０に向けて出力する。
【０００７】
次に、この構成の動作原理を説明する。送信機１０からの送信信号は、サーキュレータ１１０、サーキュレータ８２０を経てアンテナ３０から放射されるが、送信信号電力の一部はアンテナ３０で反射し、サーキュレータ８２０の第３端子から受信機側に漏洩する。そこでこの構成では、アンテナ３０で反射した送信信号電力の一部の更に一部がサーキュレータ８２０の第２端子から第１端子に漏洩することを利用して、この漏洩電力をサーキュレータ１１０の第３端子から取り出し、この取り出した信号を相殺信号の生成に利用する。もっとも、この取り出した信号の電力はサーキュレータ８２０のアイソレーション作用により微弱になっていることから、増幅器９１０にて増幅した上で位相を調整して合成器１４０での合成時に漏洩信号と等振幅逆位相となる相殺信号を生成し、この相殺信号と漏洩信号とを合成器１４０にて合成することにより漏洩電力を抑圧する。
【特許文献１】特開平２−１５１１３０号公報
【特許文献２】特開平９−１１６４５９号公報
【発明の開示】
【発明が解決しようとする課題】
【０００８】
特許文献１の解決法では、相殺信号の生成に際して送信電力の一部を取り出すため、装置の電力利用効率が低下する。また、特許文献２の解決法では、送信電力自体の無駄は回避できるが、サーキュレータ２からの漏洩電力を利用することから電力が微弱なため、増幅器が必要となる。それゆえ、増幅器の電力消費が生じ、結局は装置の電力利用効率が低下する。
そこで本発明における解決課題は、隣接した異なる２周波数を送信用と受信用に割り当てて通信を行う通信機器において、電力利用効率を低下させることなく送信機側から受信機側への漏洩電力を抑圧可能な漏洩電力低減装置を実現することにある。
【課題を解決するための手段】
【０００９】
本発明の漏洩電力低減装置は、サーキュレータ、デュプレクサ、振幅位相調整器、及び合成器から構成される。
サーキュレータは、３つの端子を具備し、第１端子から入力された送信信号を第２端子から出力し、第２端子から入力された信号を第３端子に出力する。
デュプレクサは、３つの端子を具備し、第１端子が上記サーキュレータの第２端子と接続され、第１端子とアンテナが接続される第２端子との間では送信周波数帯域の信号を通過するとともに受信周波数帯域の信号を抑圧し、第２端子と第３端子との間では受信周波数帯域の信号を通過するとともに送信周波数帯域の信号を抑圧し、第１端子と第３端子との間では送信周波数帯域と受信周波数帯域の信号を共に抑圧する。
【００１０】
振幅位相調整器は、上記サーキュレータの第３端子と接続され、サーキュレータから入力された信号の振幅と位相を調整して相殺信号を生成し出力する。
合成器は、上記デュプレクサの第３端子からの出力信号と上記振幅位相調整器から出力される相殺信号とが入力され、これらを合成し、上記デュプレクサの第３端子からの出力信号に含まれる送信機側から漏洩した送信信号を上記相殺信号により抑圧した信号を出力する。
【発明の効果】
【００１１】
本発明により、電力利用効率を低下させることなく、かつ簡易な構成で、送信機側から受信機側への漏洩電力を低減可能な漏洩電力低減装置を実現することができる。
【発明を実施するための最良の形態】
【００１２】
〔第１実施形態〕
図１は、本発明の漏洩電力低減装置１００の機能構成例である。また、図１１は処理フローである。
本発明の漏洩電力低減装置１００は、サーキュレータ１１０、デュプレクサ１２０、振幅位相調整器１３０、及び合成器１４０から構成され、サーキュレータ１１０とデュプレクサ１２０は先に説明した図１４の構成にて適用されるものと同様のものであり、合成器１４０については先に説明した図１６の構成にて適用されるものと同様のものである。
【００１３】
振幅位相調整器１３０は、サーキュレータ１１０の第３端子と接続され、サーキュレータ１１０から入力された信号の振幅と位相を調整して相殺信号を生成し出力する。
次に、第１実施形態における動作原理を説明する。
送信機１０からの送信信号は、サーキュレータ１１０、デュプレクサ１２０を経てアンテナ３０から放射されるが、送信信号電力の一部はアンテナ３０で反射して、デュプレクサ１２０の第２端子に入力され、第３端子から受信機側に漏洩するとともに、第１端子から送信機側に逆流する。もっとも、デュプレクサ１２０の特性により、送信周波数帯域の信号は第２端子と第３端子との間では抑圧される一方、第２端子と第１端子との間では通過されることから、第３端子から漏洩する電力より第１端子から送信機側に逆流する電力の方が相対的に大きい。そこで、本発明においてはこの第１端子からの逆流信号をサーキュレータ１１０により取り出し（Ｓ１）、振幅位相調整器１３０にて振幅と位相を調整してデュプレクサ１２０の第３端子からの漏洩信号に対し合成器１４０での合成時に等振幅逆位相となる相殺信号を生成する（Ｓ２）。そして、この相殺信号とデュプレクサ１２０の第３端子からの漏洩信号とを合成器１４０において合成することにより漏洩電力を抑圧する（Ｓ３）。
【００１４】
このような構成にすることにより、特許文献１の構成のように送信電力の一部を費やすことなく、かつ特許文献２の構成のように増幅器を挿入することなく漏洩電力を抑圧することができるため、装置の電力利用効率を低下させない漏洩電力低減装置を実現することができる。
ここで、第１実施形態で用いる振幅位相調整器１３０の内部構成の一例を図２に示す。
この構成では、振幅位相調整器１３０への入力信号を、減衰手段１３１ａにおいて振幅を減衰調整し、移相手段１３２ａで移相量を調整することにより合成器１４０での合成時に漏洩信号と等振幅逆位相となる相殺信号を生成する。また、送信信号が広帯域変調信号の場合には、相対的な遅延時間をゼロとするために、更に遅延手段１３３ａを挿入して遅延量を調整する。
【００１５】
なお、減衰手段１３１ａ、移相手段１３２ａ（及び遅延手段１３３ａ）はいかなる順序で並べてもよい。
もっとも、デュプレクサ１２０の第１端子に入力された送信信号の第３端子への漏洩は、「デュプレクサ１２０の第１端子→第２端子→アンテナ３０→第２端子→第３端子」というアンテナによる反射経路からだけでなく、端子間結合により、「デュプレクサ１２０の第１端子→第３端子」という直接的な経路からも生じる。このような２つの経路からの漏洩信号はそれぞれ振幅、位相（及び遅延量）が異なることから、減衰手段、移相手段（及び遅延手段）を両者で共用した場合、減衰量、移相量（及び遅延量）の設定を折衷的な値にせざるを得ず、それぞれに適した相殺信号を生成することができない。
【００１６】
そこで、例えば図３に示すように振幅位相調整器１３０に入力された信号を分配手段１３４において２分配し、第１減衰手段１３１ｂ、第１移相手段１３２ｂ（及び第１遅延手段１３３ｂ）により反射経路による漏洩信号に対する相殺信号を、第２減衰手段１３１ｃ、第２移相手段１３２ｃ（及び第２遅延手段１３３ｃ）により直接的な経路による漏洩信号に対する相殺信号を別々に生成して、これらを合成手段１３５で合成するという構成が考えられる。このような構成により、反射経路と直接的経路それぞれからの漏洩信号の振幅・位相に応じた相殺信号を生成することができる。また、反射経路と直接的経路以外に漏洩信号の経路がある場合には、振幅位相調整器１３０に入力された信号をその経路数個に分配し、漏洩信号に対する相殺信号をそれぞれ生成して、これらを合成するという構成にしてもよい。
【００１７】
なお、アンテナの設置環境や周辺環境により、アンテナのインピーダンスは変化する可能性があり、変化があった場合は反射信号の位相や振幅が変化するため、減衰手段、移相手段（及び遅延手段）の設定値が固定の場合、漏洩電力を十分に低減できなくなる恐れがある。そこで、このような環境変化に応じて設定値を適宜変更できるように、上記の減衰手段１３１ａ、第１減衰手段１３１ｂ、第２減衰手段１３１ｃ、移相手段１３２ａ、第１移相手段１３２ｂ、第２移相手段１３２ｃ（及び遅延手段１３３ａ、第１遅延手段１３３ｂ、第２遅延手段１３３ｃ）にそれぞれ可変減衰器、可変移相器（及び可変遅延器）を用いてもよい。
【００１８】
可変減衰器、可変移相器、及び可変遅延器を用いた場合の構成例を図４に示す。振幅位相調整器１３０に入力する信号の状態を把握した上で適切に可変減衰手段１３６、可変移相手段１３７、及び可変遅延手段１３８を調整できるよう、振幅位相調整器１３０の前段に第１分配器１５０を挿入し、第１モニタ１６０に状態を表示する。また、同様な趣旨から最終的に受信機２０に入力される信号の状態を把握できるよう、受信機２０の前段に第２分配器１７０を挿入し、第２モニタ１８０に状態を表示する。
【００１９】
〔第２実施形態〕
図５は、本発明の漏洩電力低減装置２００の機能構成例である。
本発明の漏洩電力低減装置２００は、サーキュレータ１１０、デュプレクサ１２０、振幅位相調整器１３０、合成器１４０、受信帯域通過フィルタ（ＢＰＦ）２１０、及び終端器２２０から構成され、サーキュレータ１１０、デュプレクサ１２０、振幅位相調整器１３０、及び合成器１４０は第１実施形態で適用されるものと同様である。
受信帯域通過フィルタ（ＢＰＦ）２１０は、サーキュレータ１１０の第２端子とデュプレクサ１２０の第１端子との間に一端が接続され、入力された信号の受信周波数帯域成分以外は反射させる。終端器２２０は、通常５０オームの抵抗素子を用い、受信帯域通過フィルタ（ＢＰＦ）２１０の他端から出力された信号が入力され、これを吸収（熱に変換して消費）する。
【００２０】
送信機１０からの送信信号は通常は変調信号であり、図６に示すように送信周波数帯域の成分だけでなく、受信周波数帯域の成分も含んでいる場合が多い。送信信号が受信周波数帯域成分を含んでいる場合、第１実施形態の構成においてデュプレクサ１２０の第１端子に送信信号が入力されると、受信周波数帯域成分の多くはデュプレクサ１２０内の送信帯域通過フィルタで反射してしまうため、この反射信号がサーキュレータ１１０、振幅位相調整器１３０、合成器１４０を経て受信機に到達することで、所望の受信信号に干渉し、受信性能を劣化させる原因となる。
【００２１】
そこで、第２実施形態では、更に受信帯域通過フィルタ２１０を具備し、その一端をサーキュレータ１１０の第２端子とデュプレクサ１２０の第１端子との間に、他端を終端器２２０に接続している。このような構成にすることで、送信機から送信された送信信号の受信周波数帯域成分の多くは、入力インピーダンスの相違によりデュプレクサ１２０の第１端子ではなく受信帯域通過フィルタ２１０に流れ込む。そのため、デュプレクサ１２０で反射する受信周波数帯域成分の絶対量が抑制されると共に、受信帯域通過フィルタ２１０に流れ込んだ信号も終端器２２０で吸収されるため、振幅位相調整器１３０などを介して受信機側に回り込む干渉信号の絶対量を抑制することができる。
なお、受信帯域通過フィルタ（ＢＰＦ）２１０の代わりに、入力された信号の送信周波数帯域成分を反射させて残りの成分を通過出力する送信帯域阻止フィルタ（ＢＥＦ）を使用しても同様な作用効果を得ることができる。
【００２２】
〔第３実施形態〕
図７は、本発明の漏洩電力低減装置３００の機能構成例である。
本発明の漏洩電力低減装置３００は、サーキュレータ１１０、デュプレクサ１２０、振幅位相調整器１３０、合成器１４０、受信帯域通過フィルタ（ＢＰＦ）２１０、減衰器３１０、及び反射器３２０から構成され、サーキュレータ１１０、デュプレクサ１２０、振幅位相調整器１３０、合成器１４０、及び受信帯域通過フィルタ（ＢＰＦ）２１０は第２実施形態で適用されるものと同様である。
【００２３】
減衰器３１０は、受信帯域通過フィルタ（ＢＰＦ）２１０と反射器３２０との間に接続され、入力された信号の振幅を減衰させて出力する。反射器３２０は、例えば一定の長さの先端開放伝送線路や先端短絡伝送線路などを用い、減衰器３１０から入力された信号に対し一定の位相差を与えて反射して、再度減衰器３１０に向けて出力する。
第２実施形態の説明で記したように、受信帯域通過フィルタ２１０の一端をサーキュレータ１１０の第２端子とデュプレクサ１２０の第１端子との間に接続し、他端を終端器２２０に接続する構成にすることで、送信機から送信された送信信号の受信周波数帯域成分の多くは、入力インピーダンスの相違によりデュプレクサ１２０の第１端子ではなく受信帯域通過フィルタ２１０に流れ込む。しかし、少量ではあるがデュプレクサ１２０を透過してデュプレクサ１２０の第３端子からも受信機側に漏洩するため、この漏洩信号が所望の受信信号に干渉し、受信性能を劣化させる原因となりうる。
【００２４】
そこで、第３実施形態ではこの漏洩信号を抑圧すべく、受信帯域通過フィルタ２１０側に流れ込んだ送信信号の受信周波数帯域成分を第２実施形態のように消滅させるのではなく、この信号成分をデュプレクサ１２０の第３端子からの受信周波数帯域の漏洩信号に対する相殺信号の生成源として利用する。
具体的には、送信機側から入力され受信帯域通過フィルタ２１０を通過した送信信号の受信周波数帯域成分を、その後段に接続された減衰器３１０を経て、反射器３２０で反射させ、この反射させた信号を減衰器３１０、受信帯域通過フィルタ２１０、サーキュレータ１１０、振幅位相調整器１３０を経て、合成器１４０に入力する。ここで、この合成器１４０に入力される信号がデュプレクサの第３端子からの受信周波数帯域の漏洩信号に対して合成器１４０での合成時に等振幅逆位相の相殺信号となるよう、経路上にある減衰器３１０、反射器３２０、振幅位相調整器１３０の設定を適宜調整し、合成器１４０に受信周波数帯域の漏洩信号と共に入力することで、受信周波数帯域の漏洩信号を抑圧することができる。
【００２５】
なお、第２実施形態と同様、第３実施形態においても受信帯域通過フィルタ（ＢＰＦ）２１０の代わりに、入力された信号の送信周波数帯域成分を反射させて残りの成分を通過出力する送信帯域阻止フィルタ（ＢＥＦ）を使用しても同様な作用効果を得ることができる。
【００２６】
〔第４実施形態〕
図８は、本発明の漏洩電力低減装置４００の機能構成例である。また、図１２は処理フローである。
本発明の漏洩電力低減装置４００は、サーキュレータ１１０、デュプレクサ１２０、第１振幅位相調整器４１０、受信帯域通過フィルタ（ＢＰＦ）２１０、第２振幅位相調整器４２０、第１合成器４３０、及び第２合成器４４０から構成され、サーキュレータ１１０、デュプレクサ１２０、及び受信帯域通過フィルタ（ＢＰＦ）２１０は第３実施形態で適用されるものと同様である。また、第１振幅位相調整器４１０と第２合成器４４０についても、名称は異なっているがそれぞれ第３実施形態で適用される振幅位相調整器１３０と合成器１４０と同様であるため、機能の説明は省略する。
【００２７】
第２振幅位相調整器４２０は、受信帯域通過フィルタ２１０から入力された信号の振幅と位相を調整し、第１合成器に向けて出力する。
なお、第１振幅位相調整器４１０と第２振幅位相調整器４２０についても第１実施形態にて説明した振幅位相調整器１３０と同様に、内部構成として図２、図３の構成を適用することができる。特に、図３の構成を適用した場合は反射経路と直接的経路の双方からの漏洩信号の振幅・位相に応じた相殺信号を生成することができる。また、図２、図３の構成に可変減衰器、可変移相器、及び可変遅延器を適用することで、環境変化に応じて設定値を適宜変更することが可能になり、安定した漏洩電力低減効果を得ることができる。
【００２８】
第１合成器４３０は、第１振幅位相調整器４１０からの出力信号と第２振幅位相調整器４２０からの出力信号とを合成し、合成信号を第２合成器４４０に向けて出力する。
第３実施形態においては、デュプレクサの第３端子から漏洩する送信信号の受信周波数帯域成分に対する相殺信号を、受信帯域通過フィルタ２１０側に流れ込んだ受信周波数帯域成分を用いて減衰器３１０と反射器３２０において振幅と位相を調整することにより生成する。
一方、第４実施形態においては、減衰器と反射器の代わりに受信周波数帯域成分用の振幅位相調整器を設けて相殺信号を生成する。
【００２９】
具体的には、送信機からの送信信号はサーキュレータ１１０を通過し、一部の送信信号はデュプレクサ１２０を通過して直接的に、あるいはアンテナ３０での反射を経てデュプレクサ１２０の第３端子から受信機側に漏洩する。
同時に、一部の送信信号の受信周波数帯域成分はデュプレクサ１２０には入力されずに受信帯域通過フィルタ２１０に流れ込む（Ｓ１）。そして、第２振幅位相調整器４２０に入力され、振幅・位相が調整されてデュプレクサ１２０の第３端子から漏洩した送信信号の受信周波数帯域成分に対する相殺信号（受信周波数帯域用相殺信号）が生成される（Ｓ２）。
【００３０】
また、一部の送信信号の送信周波数帯域成分は、デュプレクサ１２０を介してアンテナ３０で反射されて逆流し、サーキュレータ１１０により取り出される（Ｓ３）。そして、第１振幅位相調整器４１０に入力され、振幅・位相が調整されてデュプレクサ１２０の第３端子から漏洩した送信信号の送信周波数帯域成分に対する相殺信号（送信周波数帯域用相殺信号）が生成される（Ｓ４）。
更に、第１合成器４３０においてこれら受信周波数帯域用相殺信号と送信周波数帯域用相殺信号とが合成され（Ｓ５）、最後にこの合成した相殺信号とデュプレクサ１２０の第３端子からの漏洩信号とが第２合成器４４０で合成されることにより両周波数帯域成分の漏洩信号が抑圧される（Ｓ６）。
【００３１】
なお、第３実施形態と同様、第４実施形態においても受信帯域通過フィルタ（ＢＰＦ）２１０の代わりに、入力された信号の送信周波数帯域成分を反射させて残りの成分を通過出力する送信帯域阻止フィルタ（ＢＥＦ）を使用しても同様な作用効果を得ることができる。
【００３２】
〔第５実施形態〕
図９は、本発明の漏洩電力低減装置５００の機能構成例である。また、図１３は処理フローである。
本発明の漏洩電力低減装置５００は、サーキュレータ１１０、第１デュプレクサ５１０、第２デュプレクサ５２０、第１振幅位相調整器４１０、第２振幅位相調整器４２０、第３デュプレクサ５３０、及び合成器１４０から構成され、サーキュレータ１１０、第１振幅位相調整器４１０、及び第２振幅位相調整器４２０は第４実施形態で適用されるものと同様であり、合成器１４０は第３実施形態等で適用されるものと同様である。また、第１デュプレクサ５１０、第２デュプレクサ５２０、第３デュプレクサ５３０についても、名称は異なっているが第４実施形態等で適用されるデュプレクサ１２０と同様であるため、機能の説明は省略する。
【００３３】
第４実施形態においては、送信信号の受信周波数帯域成分のデュプレクサ１２０の第３端子からの漏洩分に対する相殺信号の生成源として、サーキュレータ１１０の第２端子とデュプレクサ１２０の第１端子との間に一端を接続した受信帯域通過フィルタ２１０から分離した信号を用いたが、第５実施形態においては、第１デュプレクサ５１０内部の送信帯域通過フィルタ（ＢＰＦ）１２１で反射された信号を用いる。
具体的には、送信機からの送信信号はサーキュレータ１１０を通過し、一部は第１デュプレクサ５１０を通過して直接的に、あるいはアンテナ３０での反射を経て第１デュプレクサ５１０の第３端子から受信機側に漏洩する。
【００３４】
同時に、送信信号の送信周波数帯域成分の一部はアンテナ３０で反射され、また、受信周波数帯域成分の一部は第１デュプレクサ５１０内部のＢＰＦ１２１で反射され、共に再びサーキュレータ１１０の第２端子に入力されて、第３端子から出力される（Ｓ１）。続いて、この出力信号が第２デュプレクサ５２０の第２端子に入力され、送信周波数帯域成分については第１端子から、受信周波数帯域成分については第３端子から出力され、それぞれ第１振幅位相調整器４１０、第２振幅位相調整器４２０に入力される（Ｓ２）。それぞれの入力信号は各振幅位相調整器において振幅と位相が調整され、それぞれデュプレクサ１２０の第３端子から漏洩した送信信号の送信周波数帯域成分に対する相殺信号（送信周波数帯域用相殺信号）と受信周波数帯域成分に対する相殺信号（受信周波数帯域用相殺信号）とが生成される（Ｓ３、Ｓ４）。生成された各相殺信号はそれぞれ第３デュプレクサ５３０に第１端子、第３端子に入力され、第２端子からそれらが事実上合成された相殺信号が出力される（Ｓ５）。そして、この相殺信号とデュプレクサ１２０の第３端子からの漏洩信号とを合成器１４０で合成することにより漏洩信号を抑圧する（Ｓ６）。
【００３５】
〔第６実施形態〕
第１〜第５実施形態のそれぞれの構成において、更に、デュプレクサ１２０（第５実施形態では第１デュプレクサ５１０）と合成器１４０（第４実施形態では第２合成器４４０）との間に遅延器６１０を挿入することにより、漏洩信号と相殺信号との相対的な遅延量の差をなくす調整をより柔軟にかつ精度よく行うことが可能となる。
また、デュプレクサ１２０（第５実施形態では第１デュプレクサ５１０）とアンテナ３０との間に移相器６２０を挿入し、デュプレクサの第１端子から第３端子に直接漏洩する信号と第１端子からアンテナでの反射を経て第３端子に漏洩する信号とが逆位相になるように位相調整することで、トータルの漏洩信号の振幅を小さくすることができ、そのため振幅位相調整器で施すべき振幅調整量も小さくすることができる。また、相対的な遅延時間が異なる場合には別途、遅延器を用いてもよい。
なお、遅延器６１０と移相器６２０はいずれか一方を挿入しても、双方を挿入してもよく、それぞれ独立の効果を奏する。
【００３６】
〔漏洩電力低減の具体例〕
送信機から信号が送信され、この信号の一部が受信機側に漏洩した場合において、受信機前段で漏洩電力がゼロとなるまでの具体例を図１０により説明する。ここで、図１０の構成は第３実施形態において振幅位相調整器に図３の構成を適用したものである。なお、計算の前提条件は以下のとおりである。
【００３７】
※前提条件
・送信機１０からの送信信号は、送信周波数帯域成分が３０ｄＢｍ、受信周波数帯域成分が−２０ｄＢｍ
・サーキュレータ１１０では第１端子から第２端子、及び、第２端子から第３端子に向かう信号は無損失で通過
・デュプレクサ１２０及びＢＰＦ２１０は通過帯域の信号は無損失で通過し、その他の信号の通過損失は６０ｄＢ
・アンテナの反射減衰量は１０ｄＢ
・分配手段１３３及び合成手段１３８の分配損失及び合成損失は共に３ｄＢ、合成器１４０における合成損失は漏洩信号については０ｄＢ、相殺信号については２０ｄＢ
【００３８】
以下、具体例を説明する。
まず、送信機１０から送信された送信信号はサーキュレータ１１０を経て、デュプレクサ１２０とＢＰＦ２１０にそれぞれ入力される。
デュプレクサ１２０に入力されアンテナ３０に到達した信号は、１０ｄＢの減衰を受けて反射されるが、デュプレクサ１２０の第１端子から第２端子へ通過する際に受信周波数帯域成分は既に６０ｄＢ減衰しているため、アンテナ３０を反射する送信信号電力は、送信周波数帯域成分は２０ｄＢｍ、受信周波数帯域成分は−９０ｄＢｍである。
これらの反射信号電力が再度デュプレクサ１２０の第２端子に入力されると、第１端子から送信帯域周波数成分が２０ｄＢｍ、受信周波数帯域成分が−１５０ｄＢｍの電力が送信機側に逆流する。また、第３端子から送信周波数帯域成分が−４０ｄＢｍ、受信周波数帯域成分が−９０ｄＢｍの電力が受信機側に漏洩する。
【００３９】
また、送信信号がデュプレクサ１２０の第１端子に入力された際に、アンテナで反射される上記の電力以外に、デュプレクサ１２０で６０ｄＢの減衰を受けて、送信周波数帯域成分が−３０ｄＢｍ、受信周波数帯域成分が−８０ｄＢｍの電力が直接的に第３端子から受信機側に漏洩する。
一方、ＢＰＦ２１０に入力された信号は、減衰器３１０で往復１０ｄＢ（減衰量の決定方法は後述）、ＢＰＦ２１０で送信周波数帯域成分のみが往復１２０ｄＢの減衰を受けて反射され、送信周波数帯域成分が−１００ｄＢｍ、受信周波数帯域成分が−３０ｄＢｍの電力が送信機側に逆流する。
【００４０】
次に、上記の反射による漏洩電力と直接的な漏洩電力とを、送信機側に逆流した電力により相殺信号を生成して抑圧する。
送信機側に逆流した電力はアンテナ３０からの反射分と反射器３２０からの反射分があるが、送信周波数帯域成分についてはアンテナ３０からの反射分が圧倒的に大きく、受信周波数帯域成分については反射器３２０からの反射分が圧倒的に大きいことから、相殺信号の生成に利用される逆流電力は、送信周波数帯域成分２０ｄＢｍ、受信周波数帯域成分−３０ｄＢｍとなる。
【００４１】
この逆流電力がサーキュレータ１１０を経て、振幅位相調整器１３０に入力され、分配手段１３４において２分配され、それぞれの経路においてアンテナ３０での反射による漏洩電力に対する相殺信号と直接的な漏洩電力に対する相殺信号を生成する。
第１減衰手段１３１ｂと第２減衰手段１３１ｃで振幅が調整されるが、それぞれの設定減衰量は、合成器１４０での合成時点で各漏洩信号電力と等振幅となるよう、上記減衰器３１０の設定減衰量と共に決定される。本事例においては、第１減衰手段１３１ｂが３４ｄＢ、第２減衰手段１３１ｃが２４ｄＢ、減衰器３１０が５ｄＢとなる。
【００４２】
この結果、第１減衰手段からは、送信周波数帯域成分−１７ｄＢｍ、受信周波数帯域成分−６７ｄＢｍ、第２減衰手段からは、送信周波数帯域成分−７ｄＢｍ、受信周波数帯域成分−５７ｄＢｍの電力が出力される。
更に、第１移相手段１３２ｂ及び第２移相手段１３２ｃにおいてそれぞれ、アンテナ３０での反射による漏洩電力と直接的な漏洩電力と逆位相になるよう位相を調整することにより、アンテナ３０での反射による漏洩電力に対する相殺信号と直接的な漏洩電力に対する相殺信号が生成され、これらを合成手段１３５で合成する。
【００４３】
この合成信号の電力は合成器１４０での合成損２０ｄＢが加味されているため、各漏洩電力より２０ｄＢ大きい値となっている（アンテナ３０での反射による漏洩電力に対する相殺信号については、送信周波数帯域成分−２０ｄＢｍ、受信周波数帯域成分−７０ｄＢｍ、直接的な漏洩電力に対する相殺信号については送信周波数帯域成分−１０ｄＢｍ、受信周波数帯域成分−６０ｄＢｍ）。
最後に、合成器１４０において、漏洩信号と相殺信号とを合成することにより、受信機２０の前段において送信周波数帯域成分、受信周波数帯域成分共に０とすることができる。
【産業上の利用可能性】
【００４４】
本発明は、隣接した異なる２周波数を送信用と受信用に割り当てて通信を行う通信機器において発生する、送信機側から受信機側への送信信号の漏洩電力を低減したい場合に有用である。
【図面の簡単な説明】
【００４５】
【図１】第１実施形態の漏洩電力低減装置の構成例
【図２】振幅位相調整器の内部構成例
【図３】振幅位相調整器の別の内部構成例
【図４】第１実施形態に可変手段を適用した場合の構成例
【図５】第２実施形態の漏洩電力低減装置の構成例
【図６】送信信号スペクトルのイメージ
【図７】第３実施形態の漏洩電力低減装置の構成例
【図８】第４実施形態の漏洩電力低減装置の構成例
【図９】第５実施形態の漏洩電力低減装置の構成例
【図１０】漏洩電力低減の具体例
【図１１】第１実施形態の処理フロー
【図１２】第４実施形態の処理フロー
【図１３】第５実施形態の処理フロー
【図１４】隣接した異なる２周波数を送信用と受信用に割り当てて通信を行う通信機器の基本構成例
【図１５】デュプレクサの内部構成例
【図１６】従来の漏洩電力低減装置例
【図１７】従来の他の漏洩電力低減装置例
【図１】
2008278417.tif 000003
【図２】
2008278417.tif 000004
【図３】
2008278417.tif 000005
【図４】
2008278417.tif 000006
【図５】
2008278417.tif 000007
【図６】
2008278417.tif 000008
【図７】
2008278417.tif 000009
【図８】
2008278417.tif 000010
【図９】
2008278417.tif 000011
【図１０】
2008278417.tif 000012
【図１１】
2008278417.tif 000013
【図１２】
2008278417.tif 000014
【図１３】
2008278417.tif 000015
【図１４】
2008278417.tif 000016
【図１５】
2008278417.tif 000017
【図１６】
2008278417.tif 000018
【図１７】
2008278417.tif 000019